(57)【要約】【課題】施工時、排水ユニット本体を精度良く位置決めするのを可能にする。【解決手段】突起部４０Ａ〜４０Ｄを、排水ユニット本体の長手方向側面２２Ｔに設ける。施工時において、本体保持用の複数の保持器具を突起部４０Ａ〜４０Ｄの孔４１Ａ〜４１Ｄに貫通させ、突起部４０Ａ〜４０Ｄを保持器具に固定する。このとき、本体２０の開口部表面が床面と一致するように、保持器具のボルトに対する各突起部の本体高さ／深さ方向（鉛直方向）に沿った取り付け位置が調整される。【選択図】図３
2014111872.tif 000002
【特許請求の範囲】
【請求項１】
開口部を有する箱状本体と、
前記開口部を覆う蓋と、
前記本体の開口部底に装着される排水トラップとを備え、
前記本体が、本体外表面に設けられ、本体下方に設置されて本体高さ方向に延びる複数の本体保持器具にそれぞれ取り付け可能な複数の位置決め部材を有し、
各位置決め部材は、対応する本体保持器具との本体高さ方向に沿った取り付け位置が調整可能なように、対応する本体保持器具によって保持されることを特徴とする排水ユニット。
【請求項２】
各位置決め部材が、対応する本体保持器具を貫通させる孔を有することを特徴とする請求項１に記載の排水ユニット。
【請求項３】
各位置決め部材が、対応する本体保持器具と係合する凹部を有することを特徴とする請求項１に記載の排水ユニット。
【請求項４】
各位置決め部材が、前記本体の長手方向側面に設けられていることを特徴とする請求項１乃至３のいずれかに記載の排水ユニット。
【請求項５】
前記本体が、開口部縁に沿ってフランジを有し、
前記複数の位置決め部材の延出長さが、前記フランジの幅以下であることを特徴とする請求項１乃至４のいずれかに記載の排水ユニット。
【請求項６】
前記本体が、開口部縁に沿ってフランジを有し、
前記複数の位置決め部材が、前記本体の高さ方向に関し、高さ中間位置よりも本体背面側に位置することを特徴とする請求項１乃至４のいずれかに記載の排水ユニット。
【請求項７】
前記複数の位置決め部材が、少なくとも前記本体の四隅付近に設置される位置決め部材を有することを特徴とする請求項１乃至６のいずれかに記載の排水ユニット。
【請求項８】
前記複数の位置決め部材が、前記本体の長手方向側面両側中央部に設置される位置決め部材を有することを特徴とする請求項１乃至７のいずれかに記載の排水ユニット。
【請求項９】
前記複数の位置決め部材が、前記本体の側面両側全体に渡って形成されていることを特徴とする請求項１乃至８のいずれかに記載の排水ユニット。
【請求項１０】
開口部を設けた箱型の排水ユニット本体であって、
前記本体が、本体外表面に設けられ、本体よりも下方に設置されて本体高さ方向に延びる複数の本体保持器具にそれぞれ取り付け可能な複数の位置決め部材を有し、
各位置決め部材は、対応する本体保持器具との本体高さ方向に沿った取り付け位置が調整可能なように、対応する本体保持器具によって保持されることを特徴とする排水ユニット本体。
【発明の詳細な説明】
【技術分野】
【０００１】
本発明は、浴槽、浴室、玄関先などに用いられる排水ユニットに関し、特に、床面への排水ユニット設置に関する。
【背景技術】
【０００２】
浴槽、玄関などに設置される排水ユニットは、開口部を設けた箱型の排水ユニット本体を備え、スリットあるいは多孔部を設けた蓋によって開口部を覆い、また、本体底部に排水トラップを装着させた構造になっている。排水ユニット本体に雨水、排水などが流れ込むと、排水トラップを経由して下水管等に排水が流出する（たとえば、特許文献１参照）。
【０００３】
排水ユニット本体は、その上面を床面と揃えるように仮揃える必要がある。たとえば、作業者が水準器等を使って水平レベルを出し、その位置で作業者の保持によって仮固定する。そして、モルタル等を周囲に埋めて排水ユニットを設置する。
【先行技術文献】
【特許文献】
【０００４】
【特許文献１】特開平９−２９６４９０号公報
【発明の概要】
【発明が解決しようとする課題】
【０００５】
モルタル等を埋設している間、作業者が排水ユニットを適正な位置で保持するのは困難を伴い、水平レベルが維持されない状態でモルタルが埋設される恐れがある。
【０００６】
したがって、作業中、排水ユニット本体を正確な位置へ容易に設置することが必要とされる。
【課題を解決するための手段】
【０００７】
本発明の排水ユニットは、開口部を有する箱状本体と、開口部を覆う蓋と、本体の開口部底に装着される排水トラップとを備え、本体が、本体側面に設けられ、本体下方に設置されて本体高さ方向に延びる複数の本体保持器具にそれぞれ取り付け可能な複数の位置決め部材を有し、各位置決め部材は、対応する本体保持器具との本体高さ方向に沿った取り付け位置が調整可能なように、対応する本体保持器具によって保持される。本体保持器具としては、例えばボルトなどの棒状部材を設置可能である。この場合、係止／螺合する位置によって高さ調整可能である。また、位置決め部材の数と本体保持器具の数を同一としてもよく、あるいは異なる数とすることも可能であり、複数の位置決め部材を一体的に形成してもよい。
【０００８】
各位置決め部材は、本体外表面に設けられており、本体側面、本体底面のいずれか、あるいは両方の面に設置可能である。例えば、側面から本体背面（本体開口部表面）に沿って突出させる構成にすることが可能である。また、位置決め部材を側面の背面側縁に取り付けることもできる。さらに、位置決め本体底面に突起部を設けることも可能である。例えば、排水ユニット本体が横長の箱型形状である場合、各位置決め部材を、本体の長手方向側面に設けることができる。
【０００９】
取り付け構造に関しては、各位置決め部材は、例えば、螺合部を有するボルトなど対応する本体保持器具を貫通させる孔を有する。この孔は、本体背面に沿って延びる部分に形成することが可能である。あるいは、断面Ｌ字状の突起部、切欠き状となる凹部を形成した突起部を設けることが可能である。例えば、凹部を側面方向に沿って向くように形成し、また、側面から突出する（離れる）方向を向くように凹部を形成することができる。また、各位置決め部材は、一体的な部材を設置したり、複数の部材を別々に設置することで構成することが可能である。
【００１０】
たとえば本体が、開口部縁に沿ってフランジを有する場合、複数の位置決め部材の延出長さを、フランジの幅以下にすることができる。あるいは、複数の位置決め部材を、本体の高さ方向に関し、高さ中間位置よりも本体背面側に位置することも可能である。
【００１１】
たとえば、複数の位置決め部材が、少なくとも本体の側面四隅付近に設置される位置決め部材を有する。あるいは、複数の位置決め部材が、本体の長手方向側面両側中央部に設置される位置決め部材を有する。また、複数の位置決め部材を、本体の側面両側全体に渡って形成することも可能である。
【００１２】
本発明の他の態様における排水ユニット本体は、開口部を設けた箱型の排水ユニット本体であって、本体が、本体外表面に設けられ、本体よりも下方に設置されて本体高さ方向に延びる複数の本体保持器具にそれぞれ取り付けられる複数の位置決め部材を有し、各位置決め部材は、対応する本体保持器具との本体高さ方向に沿った取り付け位置が調整可能なように、対応する本体保持器具によって保持される。
【発明の効果】
【００１３】
本発明によれば、施工時において、排水トラップ本体を正確に位置調整した状態で設置することができる。
【図面の簡単な説明】
【００１４】
【図１】第１の実施形態における排水ユニットの斜視図である。
【図２】排水ユニットを上から見た平面図である。
【図３】排水ユニットを下から見た背面図である。
【図４】排水ユニットを床に設置した状態を示した図である。
【図５】第２の実施形態における排水ユニットの斜視図である。
【図６】第２の実施形態における排水ユニットの背面図である。
【図７】第３の実施形態における排水ユニットの斜視図である。
【図８】第３の実施形態における排水ユニットの背面図である。
【図９】第４の実施形態である排水ユニットの背面図である。
【図１０】第５の実施形態である排水ユニットの背面図である。
【図１１】第６の実施形態である排水ユニットの背面図である。
【図１２】第７の実施形態である排水ユニットの側面図である。
【図１３】第８の実施形態である排水ユニットの斜視図である。
【発明を実施するための形態】
【００１５】
次に、以下図面を参照して本発明の実施形態について説明する。
【００１６】
図１は、第１の実施形態における排水ユニットの斜視図である。図２は、排水ユニットの上から見た平面図である。図３は、排水ユニットの下から見た背面図である。
【００１７】
排水ユニット１０は、浴室等に設置される排水機構であり、排水ユニット本体２０、蓋１５、２０Ａ、および排水トラップ（ここでは図示せず）を備える。本体２０は、上から見て開口部（凹部）２４を設け、長手方向に大きく延びた矩形状の箱型容器であり、開口部周縁にはフランジ２１が形成されている。
【００１８】
開口部２４を覆う蓋１５、２０Ａは、本体２０のフランジ２１とその面が沿うように嵌め込まれており、蓋１５、２０Ａには規則的なスリットが形成されている。ただし、図１には、図２に示す蓋２０Ａは図示していない。浴室内等の排水は、スリットを経由して本体２０内の開口部２４に流れ込む。開口部２４の底面には円状穴２５が形成されており、ここでは図示しない排水トラップが装着される。
【００１９】
図１、３に示すように、本体２０の長手方向側（長辺側）側面２２Ｔの両端付近には、本体位置決め用突起部４０Ａ〜４０Ｄが固定された状態で取り付けられている。ここでは短辺側側面２２Ｓには取り付けられていない。また、突起部４０Ａ〜４０Ｄには、それぞれ円状の孔４１Ａ〜４１Ｄが形成されている。
【００２０】
突起部４０Ａ〜４０Ｄは、施工段階で本体２０を床面に合わせて設置する際の保持具、および位置決め調整器具として機能し、後述する保持器具に取り付けられる。なお、突起部４０Ａ〜４０Ｄは、本体２０に固定されているが、着脱自在に装着するようにすることも可能である。
【００２１】
図１に示すように、突起部４０Ａは、側面２２Ｔからフランジ２１の延びる方向に沿って延出するように延在し、本体２０の背面２３よりわずかに上方側（床側）に位置する。また、短辺側側面２２Ｓよりも所定距離離れている。突起部４０Ａの延出長さは、フランジ２１の幅よりも短い（図３参照）。したがって、上方から見たとき突起部４０Ａ〜４０Ｄは視認できない（図２参照）。他の突起部４０Ｂ〜４０Ｄも同様の構成である。
【００２２】
図４は、排水ユニット１０を床に設置した状態を示した図である。ここでは、横引き型の排水トラップに従った排水ユニット１０の設置方法について説明する。
【００２３】
本体２０の設置前段階において、ＲＣ躯体Ｒ上に複数、ここでは４つの保持器具１００（本体保持器具）が設置されている。保持器具１００は、アンカーボルトなどによって構成することが可能であり、ここでは、保持器具１００のねじ山があるボルト１１０がナット１３０などの螺合によって固定される（図４では１つのみ図示）。保持器具１００のボルト１１０は、床Ｕに向けて鉛直方向に延びており、突起部４０Ａ〜４０Ｄの位置、すなわち本体設置場所にあわせてＲＣ躯体Ｒに取り付けられている。ＲＣ躯体への取り付け構造は従来公知のものであればよい。
【００２４】
次に、作業者は、排水トラップ６０を取り付けた状態で本体２０をすでに部分的に設置された床タイルＵの面に沿うように保持する。このとき、排水トラップ６０をあらかじめ設置された配管７０と接続させるとともに、４つの保持器具１００のボルト１１０を、それぞれ突起部孔４１Ａ〜４１Ｄから貫通させる。
【００２５】
孔４１Ａ〜４１Ｄのサイズはボルト１１０のサイズと略一致しており、互いに係合した状態で嵌る。そして、ナット１２０などを各突起部の上から嵌めて螺合させ、ワッシャー（図示せず）を介して締め付ける。これにより、突起部４０Ａ〜４０Ｄ、すなわち本体２０は、４つの保持器具１００によって保持される。なお、突起部孔のサイズをボルトより大きくしてもよく、各突起部の両側からナット、ワッシャーによって固定させる構成にしてもよい。
【００２６】
ここで、ナットの締め付け位置を変えることにより、本体２０の高さ方向に沿った保持位置を変えることが可能である。作業者は、床Ｕに沿った面と本体上面が一致するように、各突起部と保持器具との取り付け位置を調整する。本体２０の平行保持が確認されると、そして、かさ上げ用にモルタル（またはセメント／コンクリート）Ｓがユニット周囲に埋められ、最後にモルタルＫが埋められてユニット周囲の床タイルが取り付けられることにより、排水ユニット１０が埋設される。
【００２７】
このように本実施形態によれば、突起部４０Ａ〜４０Ｄを、排水ユニット本体の露出側側面２２Ｔに設けている。施工時において、本体保持用の複数の保持器具１００を突起部４０Ａ〜４０Ｄの孔４１Ａ〜４１Ｄに貫通させ、突起部４０Ａ〜４０Ｄを保持器具に固定する。このとき、本体２０の開口部表面が床面と一致するように、ボルト１１０に対する各突起部の本体高さ／深さ方向（鉛直方向）に沿った取り付け位置が調整される。
【００２８】
ＲＣ躯体などに固定された保持器具に本体を取り付けるため、本体を安定して保持することができる。そして、ねじ止めのために各突起部の取り付け位置が調整可能となり、精度よく本体を床面に合わせることが可能となる。すなわち、作業者が手で保持しながらモルタル、コンクリートなどを流し込む必要がなく、容易かつ精度よく床面に揃えて本体を床に埋設することができる。
【００２９】
突起部は孔を設けた簡単な構造であるため、取り付け、調整が容易である。また、突起部が長手方向側面に取り付けられているため、本体をバランスよく保持しやすい。さらに、突起部がフランジ幅を超えていないため、床がタイルや大理石などの場合においても邪魔にならない。さらに、突起部がフランジ側近くではなく本体背面近くに取り付けられているため、保持器具のナットなどをはめ込みやすく、作業が容易となる。
【００３０】
次に、図５、６を用いて第２の実施形態について説明する。第２の実施形態では、本体側面全体に渡って突起部が設けられている。それ以外の構成については、第１の実施形態と実質的に同じである。同様の構成については、同じ符号を用いている。
【００３１】
図５は、第２の実施形態における排水ユニットの斜視図である。図６は、第２の実施形態における排水ユニットの背面図である。
【００３２】
排水ユニット１００の本体２０の側面２２Ｔには、一体的に連なった突起部１４０Ａ、１４０Ｂが長手方向側面全体に渡って取り付けられている。そして、矩形状の孔１４１Ａが規則的に（ここでは等間隔）形成されている。細長いフランジ状の突起部１４０Ａ、１４０Ｂは、高さ方向に関して本体背面２３に沿った位置に形成されている。また、突起部の延出長さは、フランジ幅に等しい。保持器具は、少なくとも両側側面２２Ｔの端部に取り付けられるだけでなく、中央部にも取り付けることができる。
【００３３】
このように側面全体に保持器具を取り付ける場所を確保することによって、設置場所に合わせた保持器具の設置数、設置位置を調整することができる。
【００３４】
次に、図７、８を用いて、第３の実施形態である排水ユニットについて説明する。第３の実施形態では、突起部が本体背面に沿った高さ位置で設置される。それ以外の構成については、第１の実施形態と同じである。
【００３５】
図７は、第３の実施形態における排水ユニットの斜視図である。図８は、第３の実施形態における排水ユニットの背面図である。
【００３６】
排水ユニット２００の本体側面２２Ｔには、高さ方向に関して一番低い位置である背面２３に沿った位置に突起部２４０Ａ〜２４０Ｄが形成されており、また、各突起部の短辺は、本体の短辺側側面２２Ｓに沿った位置にある。突起部の延出長さは、フランジ幅と等しい。
【００３７】
次に、図９を用いて、第４の実施形態である排水ユニットについて説明する。第４の実施形態では、突起部が等間隔をおいて設置される。それ以外の構成については、第１の実施形態と同じである。
【００３８】
図９は、第４の実施形態における排水ユニットの斜視図である。突起部３４０Ａ、３４０Ｄ、３４０Ｅは、略等間隔で設定されており、反対側の側面においても同様の構成になっている。
【００３９】
突起部の数、設置場所、延出長さおよびその延びる方向は、上記実施形態以外の構成にすることも可能である。突起部は、少なくとも本体四隅に設置すればよい。あるいは２つでもよい。長手方向に大きく延びる場合、可能であれば側面中央部にも設けるのがよい。また、短辺側側面に突起部を設けてもよい。突起部は背面と平行な方向に延出しなくてもよく、背面がわずかでも傾斜しているのを考慮し、水平方向に平行な方向へ突出するように突起部を設けてもよい。さらに、本体高さ、深さ方向に関し、たとえばその中間位置よりも背面側に位置する範囲で取り付けることも可能である。
【００４０】
一方、突起部の形状については、プレート状に限定されず、断面Ｌ字状であって、深さ方向（鉛直方向）に延びる部分が側面の背面側縁に取り付けられ、背面方向に沿って延びる部分に孔を形成した突起部を設けるようにしてもよい。これにより、突起部がフランジ幅を超えるように構成した場合においても、大理石などを敷いても突起部が障害とならない。
【００４１】
図１０は、第５の実施形態における排水ユニットの斜視図である。排水ユニット４００の側面２２Ｔには、断面Ｌ字状の突起部４４０Ａ、４４０Ｄが設けられている。
【００４２】
図１１は、第６の実施形態である排水ユニットの斜視図である。排水ユニット５００の側面２２Ｔには、上から見てＨ状の突起部５４０Ａ、５４０Ｄが設けられている。突起部５４０Ａ、５４０Ｄは両方が切欠き状になっていて凹部５４１Ａを形成しており、ボルト１１０がいずれかの凹部へ嵌め当てられる。突起部５４０Ｄには、凹部５４１Ａが側面方向を向くように形成されており、ボルトと係合する。突起部５４０Ｅには、側面から突出する方向に凹部５４１Ｅが形成されている。
【００４３】
このように側面方向に沿って凹部を設けることにより、ボルトとの係合が容易となり、排水ユニットを迅速に仮固定することができる。
【００４４】
上記実施形態では、突起部を排水ユニット側面に設けているが、排水ユニットの底面に設けるようにしてもよい。例えば、図１０に示した断面Ｌ字状の突起部の端部を底面に取り付け、突起部と底面との間までボルトが延びて装着するようにすることが可能である。あるいは、ブラケット付の突起部を用意し、ブラケット部分を底面取り付け、ボルトと係合する部分が上から見て側面から突出するように配置するようにすることもできる。さらには、側面と底面両方に接触しながら取り付けるように構成してもよい。
【００４５】
図１２は、第７の実施形態である排水ユニットの側面図である。第７の実施形態では、突起部６４０Ａ〜６４０Ｄが、排水ユニット６００の本体底面２３の四隅に取り付けられている。突起部６４０Ａ〜６４０Ｄは、第５の実施形態と同様、断面Ｌ字状に形成されている。
【００４６】
このような構成の場合、本体底面より下方に設置されたボルトは、底面エリアからはみ出ることなく、突起部６４０Ａ〜６４０Ｄと係合し、排水ユニット本体２０を支持する。したがって、フランジ２１が非常に幅の短い場合などにおいても、排水ユニット本体２０の仮固定を確実にすることができる。なお、ボルトと螺合するナット状ねじ部材を底面に取り付けることも可能である。
【００４７】
突起部と保持器具との取り付け構造に関しては、突起部の孔にねじを貫通させる取り付け機構、凹部、切欠き部分を設けた構成以外の構成を採用してもよい。たとえば、ねじ穴を突起部に形成して螺合させることも可能であり、棒状の部材と係止するひっかけ、ストッパーを突起部に設けてもよい。さらには、留め具をまきつけ、はめ込む、貼る、接着させる構成も可能である。床背面側から延びる棒状部材と係止し、その位置が調整可能であればよい。
【００４８】
上記実施形態では、突起部が一体的に構成されているが、高さ調整可能なように複数の部材から構成することも可能である。
【００４９】
図１３は、第８の実施形態である排水ユニットの斜視図である。排水ユニット７００には、その側面２２Ｔに突起部７４０Ａ、７４０Ｄが設けられている。突起部７４０Ａは、２つの棒状部材８４０Ａ、９４０Ａから構成されている。棒状部材８４０Ａと９４０Ａとの距離間隔は、ボルトが棒状部材８４０Ａと９４０Ａとの間に入り込むことができ、かつ、高さ方向を調整した上で突起部７４０Ａをボルトに固定させることにより、排水ユニット２０が保持される。突起部７４０Ｄも、同様に２つのＬ字型部材８４０Ｄ、９４０Ｄから構成される。
【００５０】
縦引き排水トラップを装着した排水ユニットも適用可能である。また、細長い矩形状の排水ユニットだけでなく、開口部が略正方形状に近い排水ユニットにも適用可能である。
【符号の説明】
【００５１】
１０  排水ユニット
１５  蓋
２０  本体
２１  フランジ
２２Ｔ  長手方向側面
２４  開口部
４０Ａ  突起部（位置決め部材）
４１Ａ  孔
６０  排水トラップ
１００  保持器具（本体保持器具）
１１０  ボルト
【図１】
2014111872.tif 000003
【図２】
2014111872.tif 000004
【図３】
2014111872.tif 000005
【図４】
2014111872.tif 000006
【図５】
2014111872.tif 000007
【図６】
2014111872.tif 000008
【図７】
2014111872.tif 000009
【図８】
2014111872.tif 000010
【図９】
2014111872.tif 000011
【図１０】
2014111872.tif 000012
【図１１】
2014111872.tif 000013
【図１２】
2014111872.tif 000014
【図１３】
2014111872.tif 000015